(57)【要約】【課題】販売店では綺麗な状態で陳列でき、塗装作業に際しては手や衣服の袖口が塗料で汚れることがほとんどなく、塗装作業終了後も保管場所を汚さずにすぐに収納することができ、極めて使い勝手の良い保護カバー付き刷毛を提供する。【解決手段】一側に毛束部５を設けると共に他側に吊下孔６を開設した刷毛１と、吊下孔６に挿通される吊下紐２と、合成樹脂材からなり一端が開口１４すると共に他端が閉塞１５する袋状の保護カバー３と、からなり、保護カバー３は刷毛１全体が収納できる大きさであってかつ該刷毛１を持つ手に被せられる大きさを有し、保護カバー３を刷毛１に被せた状態で該保護カバー３を貫通させて該刷毛１の吊下孔６に吊下紐２が挿通され、使用しないときは保護カバー３を刷毛１に被せ、使用するときは保護カバー３を裏返して刷毛１を持つ手に被せられるようにした。【選択図】図１
0003165475.tif 000002
【実用新案登録請求の範囲】
【請求項１】
一側に毛束部を設けると共に他側に吊下孔を開設した刷毛と、前記吊下孔に挿通される吊下紐と、合成樹脂材からなり一端が開口すると共に他端が閉塞する袋状の保護カバーと、からなり、
前記保護カバーは前記刷毛全体が収納できる大きさであってかつ該刷毛を持つ手に被せられる大きさを有し、前記保護カバーを前記刷毛に被せた状態で該保護カバーを貫通させて該刷毛の吊下孔に前記吊下紐が挿通され、
使用しないときは前記保護カバーを前記刷毛に被せ、使用するときは前記保護カバーを裏返して刷毛を持つ手に被せられるようにしたことを特徴とする保護カバー付き刷毛。
【考案の詳細な説明】
【技術分野】
【０００１】
本考案は、ペンキ、ニスなどの塗料を塗るときに使用する保護カバー付き刷毛に関するものである。
【背景技術】
【０００２】
従来、例えば建物の外壁にペンキを塗る場合、または、日曜大工で作った机や腰掛等の木製品にペンキやニスといった塗料を塗る場合には刷毛を使用する。該刷毛は、無数の獣毛を並べて束ねた毛束部と該毛束部から伸び手で持つための柄部とから構成される。柄部の手元には吊下孔が開設され、該吊下孔に例えば保管場所に設けられたフックを挿通して刷毛が吊り下げられるようになっている（例えば、特許文献１、２参照。）。
【先行技術文献】
【特許文献】
【０００３】
【特許文献１】特開平８−５６７５２号公報（第２−４頁、図１）
【特許文献２】特開２００７−１９０１８９号公報（図３−６頁、図１）
【考案の概要】
【考案が解決しようとする課題】
【０００４】
ところで、刷毛の柄部は通常木製が多く、販売店で例えば柄部を露出させたまま刷毛を陳列しておくと、該柄部が湿気を吸い易くしかも埃やゴミが付着し易い。このように、湿気と共にゴミや埃が付着すると、木製の柄部が黒ずんで変色することが有り、このように変色してしまうと、商品価値を著しく下げてしまうという課題があった。
【０００５】
一方、塗装作業をする際、刷毛の柄部はほとんど素手で持って塗料を塗ることが多いが、このように素手で柄部を持って塗装作業をすると、塗料が収納される塗料缶に刷毛を差し込んだとき、必ずといってよいほど刷毛を持っている手や衣服の袖口に塗料が付着して汚れてしまう。特に、塗料が油性である場合は、手や衣服の袖口を水で洗ってもそれら付着した塗料が簡単に落ちず、石鹸で幾度も洗うなどしその付着した塗料を苦労して落しているのが現状である。
【０００６】
これに対して、薄い合成樹脂製の手袋を手に被せてから刷毛を持ち塗装作業を行なうようにして、手に塗料が付着しないようにした方法が採られている。しかしながら、この方法では手が汚れないという利点は有るが、合成樹脂製の手袋と刷毛とが常に一緒の保管場所に保管されてないと、塗装作業を始めようとしたときに合成樹脂製の手袋をどこへ収納したのか忘れ、探すに苦労するといった課題が有る。
【０００７】
また、塗装作業が終了した後は、使用した刷毛の毛束部を例えばシンナーなどの洗浄剤で洗浄し塗料をある程度落してから保管場所に保管することになるが、刷毛の毛束部や柄部に塗料が残っていると、保管場所まで塗料で汚れてしまうので、しばらくの間刷毛を乾かしておかなくてはならない。このため、刷毛を片付けるに時間が掛かり保管場所への収納が面倒になるばかりか、乾かしている間の刷毛に触れて塗料が付着し、また、その塗料を落すに苦労するといった課題も有る。
【０００８】
そこで、本考案は前記課題をすべて解決するためになされたもので、販売店では綺麗な状態で陳列でき、塗装作業に際しては手や衣服の袖口が塗料で汚れることがほとんどないばかりか、塗装作業終了後も保管場所を汚さずに該保管場所へすぐに収納することができ、極めて使い勝手の良い保護カバー付き刷毛を提供することを目的とするものである。
【課題を解決するための手段】
【０００９】
かかる目的を達成するために、本考案に係る保護カバー付き刷毛は、一側に毛束部を設けると共に他側に吊下孔を開設した刷毛と、前記吊下孔に挿通される吊下紐と、合成樹脂材からなり一端が開口すると共に他端が閉塞する袋状の保護カバーと、からなり、前記保護カバーは前記刷毛全体が収納できる大きさであってかつ該刷毛を持つ手に被せられる大きさを有し、前記保護カバーを前記刷毛に被せた状態で該保護カバーを貫通させて該刷毛の吊下孔に前記吊下紐が挿通され、使用しないときは前記保護カバーを前記刷毛に被せ、使用するときは前記保護カバーを裏返して刷毛を持つ手に被せられるようにしたことを特徴とする。
【考案の効果】
【００１０】
本考案に係る保護カバー付き刷毛は、保護カバーが合成樹脂材からなり一端が開口すると共に他端が閉塞する袋状に形成され、また、刷毛全体が収納できる大きさであってかつ該刷毛を持つ手に被せられる大きさを有し、該保護カバーを刷毛に被せた状態で保護カバーを貫通させて該刷毛の吊下孔に吊下紐を挿通するようにした構成からなる。これにより、販売店では刷毛が保護カバーにより包まれ常に綺麗な状態に保たれるので、商品価値が下がるようなことはない。
【００１１】
また、塗装作業に際し刷毛を使用する場合、刷毛に被せた保護カバーを裏返して該刷毛を持つ手に被せるようにすれば、刷毛を持つ手が常に保護カバーで覆われる。よって、塗装作業中に刷毛を持っている手や衣服の袖口に塗料が付着して汚すことがほとんどないばかりか、刷毛と保護カバーとは吊下紐により離れることなく常に繋がるようにして一体に設けられるので、保護カバーを失いこれを探すに苦労するといったこともないという効果を奏する。更に、塗装作業が終了し毛束部を洗浄してから刷毛を保管場所に収納する場合、前記裏返した保護カバーを刷毛に被せた元の状態に戻し、該保護カバーにより刷毛を包むようにすれば、保護カバーの外面に付着した塗料が刷毛側の内面に付着していることになるので、この塗料や刷毛に残った塗料が手や保管場所に付着して汚すようなことはほとんどなく、しかも、刷毛は保管場所にすぐに収納できることになる。
【００１２】
このように、刷毛と保護カバーは吊下紐により離れることなく常に繋がるようにして一体に設けられるので、販売店では保護カバーが所謂包装袋として機能し、刷毛を使用するときは保護カバーが手を保護する手袋として機能し、また、保管するときは保護カバーが刷毛に被せて包むことにより保管袋として機能することになる。よって、極めて使い勝手が良いという効果を奏する。
【図面の簡単な説明】
【００１３】
【図１】本考案に係る保護カバー付き刷毛の分解斜視図。
【図２】使用しない状態を示す保護カバー付き刷毛の斜視図。
【図３】保護カバーを広げた保護カバー付き刷毛の斜視図。
【図４】図３のＸ−Ｘ線断面図。
【図５】使用する状態を示す保護カバー付き刷毛の斜視図。
【考案を実施するための形態】
【００１４】
以下、本考案に係る保護カバー付き刷毛の最良の実施の形態を図面に基づき詳しく説明する。図１は本考案に係る保護カバー付き刷毛の分解斜視図、図２は使用しない状態を示す保護カバー付き刷毛の斜視図、図３は保護カバーを広げた保護カバー付き刷毛の斜視図、図４は図３のＸ−Ｘ線断面図、図５は使用する状態を示す保護カバー付き刷毛の斜視図である。保護カバー付き刷毛Ａは、図１に示すように刷毛１と吊下紐２と袋状の保護カバー３とからなる。
【００１５】
刷毛１は、木製の柄部４の一側に毛束部５が設けられ、他側に吊下孔６が開設されている。前記毛束部５は、一定の長さの無数の獣毛が束ねられると共にその付根部５ａに帯板７を巻回し、この帯板７部位を柄部４の一側に形成される二股状部４ａ，４ａ間に介在させ針金８でその周囲を緊縛して固定することにより設けられる。また毛束部５には、透明な合成樹脂製の包装フィルム９が巻回される。これは、刷毛１を製作した後に埃が付着して汚れることのないようにするためである。本考案では柄部４を木製としたがこれに限定されるものではなく、例えば合成樹脂製であっても良い。
【００１６】
吊下紐２は合成樹脂材からなり、図４に示すようにその一端に先の尖った嵌入突起１０が設けられ、他端に該嵌入突起１０が嵌入する両端面が開放した筒状保持部１１が設けられている。嵌入突起１０の外周面にその軸線方向に対して直交するフランジ１２が周設され、筒状保持部１１の内周面にはその中心軸線に対して直交する面内で外側へ広がる大径部１３が形成されている。そして、嵌入突起１０を筒状保持部１１に挿入することにより、嵌入突起１０のフランジ１２が筒状保持部１１の大径部１３に嵌合し、嵌入突起１０が筒状保持部１１から抜けなくなって接続され、吊下紐２がリング状をなす。
【００１７】
保護カバー３は手や衣服及び保管場所を塗料で汚さないため非通水性を有すると共に非通油性を有する必要性があり、このため、例えば透明で薄く折曲自在な合成樹脂材により成形される。また保護カバー３は、刷毛１の長さの約１．５倍の長さを有する。そして、保護カバー３の長手方向に沿った一端縁は、その長手方向と直交すると共に開口１４している。一方、長手方向に沿った他端縁は、その他端側へ山形に尖るように形成されると共に閉塞１５されている。この他端側に吊下紐２が貫通する小孔１６，１６が開設される。このようにして、保護カバー３は前記刷毛１全体が収納できる大きさを有し、かつ、該刷毛１を持つ手に被せられる大きさに形成される。
【００１８】
そして、開口１４を介し保護カバー３内に刷毛１を吊下孔６側から挿入し、該吊下孔６を保護カバー３内の長手方向に沿った他端の閉塞１５側の奥端部に位置させた状態で、前記吊下紐２の嵌入突起１０を保護カバー３の外側から該保護カバー３の一側壁面３ａに開設された小孔１６に貫通させると共に該嵌入突起１０を刷毛１の吊下孔６に挿通する。更に、保護カバー３の内側から該保護カバー３の他側壁面３ｂに開設された小孔１６に嵌入突起１０を貫通させて外側へ引き出す。引き出された嵌入突起１０を筒状保持部１１に嵌入してリング状に連結する。これにより、図３、図４に示すように保護カバー３と刷毛１とが吊下紐２により離れることなく常に繋がるようにして一体に設けられ、保護カバー付き刷毛Ａが構成される。
【００１９】
前記保護カバー３に透明な合成樹脂材が使用されるのは、刷毛１が保護カバー３に包まれた状態で販売店で並べて陳列されることから、客が保護カバー３で包まれる刷毛１を外部から見られるようにするためである。なお、保護カバー３は全体が透明な合成樹脂材により成形されるが、その片面のみ透明であっても良い。また、その商品である刷毛１の写真を付けるようにすれば、保護カバー３を必ずしも透明な合成樹脂材により成形する必要もない。
【００２０】
そこで、多くの保護カバー付き刷毛Ａを販売店に並べて陳列するときは、図２に示すように刷毛１を透明な保護カバー３で包んだ状態でゴムバンド１７を掛けておく。このようにして、保護カバー３に包まれた刷毛１を陳列することになる。これにより、刷毛１は透明な保護カバー３を介して外部から見ることができ選択がし易い。また、柄部４が木製の刷毛１であっても、該柄部４が湿気を吸うことも少なくゴミや埃が付着することもない。この場合、保護カバー３が包装袋として機能する。
【００２１】
次に、保護カバー付き刷毛Ａの使用方法を説明する。塗装作業で刷毛１を使用する場合、該刷毛１の毛束部５に包装フィルム９が巻回してあるときは該包装フィルム９を取り外す。そして、刷毛１に保護カバー３が被さった状態で、該保護カバー３の外側から刷毛１の柄部４を手で持つ。そして、この状態で保護カバー３を裏返し図５に示すように刷毛１の柄部４を持つ手に被せる。作業着などの衣服を着ているときは、該保護カバー３をその袖口付近まで被せる。これにより、刷毛１の毛束部５が外部に露出すると共に柄部４を持つ手が保護カバー３により覆われることになる。この状態で、刷毛１を塗料缶（図示せず。）内に差し込み、毛束部５に塗料を付けて塗装作業を行なう。
【００２２】
すなわち、この場合保護カバー３が丁度手袋として機能し、刷毛１を持つ手や衣服の袖口が保護カバー３により覆われることになり、塗装作業中、塗料缶に刷毛１を差し込んだときもそれら手や衣服の袖口に塗料が付着して汚すようなことはほとんどない。
【００２３】
塗装作業が終了した後は、使用した刷毛１の毛束部５をシンナーに漬けてその塗料をある程度落してから該刷毛１を保管場所に保管することになるが、毛束部５の塗料をある程度落して前記手や衣服の袖口を覆っていた保護カバー３を逆に返す。これにより、手は外部に露出すると共に刷毛１が保護カバー３の中に納まる。そして、保護カバー３を折り曲げて図２に示すように刷毛１を包み、その上から例えばゴムバンド１７を掛けておく。この際、塗装作業中に保護カバー３の外面に付着していた塗料が逆に内面に付着していることになる。よって、刷毛１を汚すかもしれないが、刷毛１は保護カバー３により包まれることになり、保護カバー付き刷毛Ａを保管場所に保管するにその場所を塗料で汚すといったことはほとんどなく、しかも、すぐに保管場所に収納できる。この場合、保護カバー３が保管袋として機能する。
【００２４】
このように、本考案にあっては刷毛１と保護カバー３が吊下紐２により離れることなく常に繋がるようにして一体に設けられるので、販売店では保護カバー３により刷毛１が包まれ常に綺麗な状態に保持される。また、刷毛を使用するときや使用せずに保管するときのいずれも、保護カバー３の表・裏面を使い分けすることにより手や保管場所に塗料が付着することがほとんどなく安心して使用できる。
【００２５】
また、本考案にあっては、保護カバー３の所定の位置に嵌入突起１０を貫通させる小孔１６，１６を開設したが、保護カバー３の強度を設定して小孔１６を開設せずに吊下紐２の一端の嵌入突起１０により保護カバー３破るようして小孔を開けても良い。
【符号の説明】
【００２６】
１            刷毛
２            吊下紐
３            保護カバー
５            毛束部
６            吊下孔
１４          開口
１５          閉塞
Ａ            保護カバー付き刷毛
【図１】
0003165475.tif 000003
【図２】
0003165475.tif 000004
【図３】
0003165475.tif 000005
【図４】
0003165475.tif 000006
【図５】
0003165475.tif 000007